(57)【要約】【課題】  従来の脱臭装置では異臭空気通過面に対する臭気濃度が高くなった場合に除去能力が落ちやすいという問題があった。【解決手段】  本装置を脱臭装置の下部に固定し、通過する異臭空気風量の増減によってフロート板が上下し、フィルター通気速度を緩衝させ通気速度を平均化することで、フィルターの寿命を延命できる。【選択図】  図１
2005133524.tif 000002
【特許請求の範囲】
【請求項１】
下水道設備等から発生する硫化水素等の臭気を脱臭する装置のろ材に関し、円筒内に通過空気により浮く板（フロート板）から構成される風量調整作用によりろ材の寿命を延長できるマンホール用風量調整装置。
【請求項２】
冬季等における装置内結露によるろ材への水分吸着を防ぎ、装置内を通過するマンホール内外の通気方向を制御することにより、ろ材の寿命を延長する機能を備えた、請求項１記載のマンホール用風量調整装置。
【請求項３】
マンホール下部からの上昇空気により浮くフロート板の重量を調整することで通気量を調整することが出来る、請求項１記載のマンホール用風量調整装置。
【請求項４】
フロート板の上方に通過空気量の積算計を付帯し、開閉回数や経過時間などから、装置内の通過空気量を測定できる、請求項１記載のマンホール用風量調整装置。
【発明の詳細な説明】
【技術分野】
【０００１】  本発明は下水処理施設等から発生する異臭の除去に関する。
【背景技術】
【０００２】  下水処理施設等において、従来マンホールからの異臭の漏洩は処理施設又は管路周辺住宅へ異臭として環境負荷を与えると共に、下水処理工程での作業者の作業環境にも悪影響を与えてきた。そうした異臭への対策として、マンホールへ活性炭等のろ材を組み込んだ脱臭装置がある（例えば、特許文献１参照）。
【特許文献１】特開２００２−３０９６０４
【発明の開示】
【発明が解決しようとする課題】
【０００３】  前記特許文献１の装置は、マンホールに関する装置であり、蓋の鉤穴や周囲の隙間から臭気が漏れ出ることを防ぐと共に、蓋を開けたときに内部の臭気がいきなり大量に噴き出すことを防ぐことが出来る。しかしながら、上述したマンホールでは、フィルターを固定しているため、異臭の通過量が増していくと、異臭空気通過面に対する臭気濃度が高くなった場合に除去能力が落ちやすいという問題があった。その結果、脱臭用フィルターの寿命が短くなっていた。【０００４】  本発明は、このような問題に鑑みてなされたもので、その目的とするところは、フィルターを通過する異臭空気量を調整することにより、臭気濃度の偏りをなくし、更に、ろ材への冬季結露が出ず、変動する異臭空気風量や臭気濃度に対し安定且つ効率的な脱臭をするための装置を提供することにある。
【課題を解決するための手段】
【０００５】  請求項１の装置は、マンホールに設置可能な脱臭装置の下部に固定し、通過する異臭空気風量の増減によってフロート板が上下し、フィルター通気速度を緩衝させ通気速度を平均化することで、フィルターの寿命を延命することを特徴とする。
請求項２の装置は、上記請求項１の装置の設置環境に対し、フロート板があることにより寒気の下降流を止め、脱臭装置内部の空気対流を遮断することで、特に冬季などの結露が発生する時季に装置内の結露を防止でき、さらには外気のフィルター通過を抑止し、フィルターの寿命の延命を可能にできるることを特徴とする。
請求項３の装置は、上記請求項１の装置の基本的な構成に対し、風量が安定しなかった場合に、フロート板に加重板等を付帯設置することで、フロート板の重量を調整し設置場所における広範囲の風量変動に対応して設置できることを特徴とする。
請求項４の装置は、上記請求項１の装置の基本的な構成に対し、風量を実績の履歴として記録する為に、積算用風量測定装置等を付帯設置することで、装置内のフィルター通気量を測定できることを特徴とする。
【発明の効果】
【０００６】  請求項１の場合には、通過する異臭空気風量の増減に応じてフロート板が上下することで通過する空気量を緩衝でき、マンホール内外の気圧変動による風量変動に影響をほとんど受けず、フィルターへの異臭通気速度を平均化できる。それにより、短時間あたりの脱臭負荷を軽減することができ、最終的にはフィルターの寿命を延命することできる。【０００７】  表１に比較試験による風量調整装置のフィルター寿命延命能力を示す結果の表を示す。
【表１】
2005133524.tif 000003
【０００８】  表１より本発明による風量調整装置ありの場合の除去率は、通算日数４２日でも９９．０％であるのに対し、風量調整装置なしの場合は０．０％である。【０００９】  請求項２の場合には、脱臭装置外部すなわちマンホール上部に寒気がマンホール内部の暖気と交換対流して結露が発生する現象に対し、フロート板があることで脱臭装置の上部からのマンホール内部への寒気の降下流れを遮断し、対流を抑止できる為、装置内に結露が起こらず、結果として水分吸収の要因による脱臭装置のフィルターの寿命を延命できる。さらに、外気のフィルター通過を抑止し、マンホール内部からのフィルター通過のみを可能にするため、マンホール内部からの異臭の成分にのみフィルター効果が発揮され、フィルターの寿命の延命を可能にできる。【００１０】  請求項３の場合には、マンホールの内部構造や管渠の内部構造などにより風量が極端に多かったりするなどの要因で風量調整効果が得られなかった場合に、フロート板に過重板等を付帯することで、マンホールの通気特性に対応した風量調整ができ、風量調整装置の設置能力の幅を広げることができる。【００１１】  請求項４の場合には、積算用風量測定装置等を付帯設置し、装置内のフィルター通気量を測定記録することで、時間に対するフィルターの脱臭能力がモニターでき、脱臭装置および風量調整装置の改良や改善にフィードバックすることができる。
【発明を実施するための最良の形態】  つぎに本発明の実施の形態について図面を参照しつつ説明する。
図１及び図２は本発明の一実施形態の断面図及び上面図、図３はフロート板が浮いたときの断面図、図４は装置上部例えばマンホール外部の寒気が流入降下したときの断面図、図５はフロート板の上に加重板を取り付けたときの断面図、図６は脱臭装置と風量調整装置を組み合わせた際の設置例の図である。【００１２】  図１において、風量調整装置の円筒外枠３の中心部に支持軸２を設け、フロート板１の中心に穴を空けて支持軸２に通す。フロート板１の直径や厚みは設置したときの風量調整能力に応じて設定でき、またフロート板１の材質はプラスチックを基本とするが金属などの比重の大きい材質を利用しても良い。【００１３】  図２は、図１の上面図であり、指示軸２は固定ブリッジ４で円筒外枠３に固定する。また、異臭入口５の断面積を変更する為にブリッジを２本使用したり、ブリッジの幅を変更させても良い。【００１４】  図３において、本装置下部から異臭風が流入上昇した場合、フロート板１が浮き上がり、均等位置でフロート板１は静止する。フロート板１と円筒外枠３との間の、異臭風の通過部の断面積を変える為に、フロート板１の直径を変更させても良い。【００１５】  図４において、装置上部例えばマンホール外部からの寒気が流れ込んだ場合、フロート板１があることで下方への流れを遮断し、図には示さないが併設の脱臭装置のフィルターを通過する外気の流れを遮断し、外気の水分や炭酸ガス等のフィルター通過を抑止できる。【００１６】  図５において、異臭風量が多すぎてフロート板１が支持軸のストッパー７に掛かり続ける場合、加重板６をフロート板１の上に載せることでフロート板１の浮きを抑え、風量を調整することが出来る。【００１７】  図６は脱臭装置８と風量調整装置をセットでマンホールに設置した場合の一例であり、風量調整装置の設置は必ずしも脱臭装置の下部である必要はなく、脱臭装置の上部に設置するようにしても良い。【００１８】  以上のごとく本実施形態の特徴は、マンホール内部からの異臭発生を防止する脱臭装置に対して、その脱臭効果の延命を図るべく、風量を緩衝調整もしくは風向きを制御することにある。
【図面の簡単な説明】
【００１９】
【図１】図１は本発明の一実施形態の断面図である。
【図２】図２は図１を上から見た場合の上面図である。
【図３】図３は異臭の風流によりフロート板が浮いたときの図である。
【図４】図４は上方から風が流れたときの状態図である。
【図５】図５はフロート板の上に加重板を載せたときの断面図である。
【図６】図６はローラーへの突起構造物設置例の図である。
【図７】図７は表１に基づいた本装置の設置効果を示す図である。
【符号の説明】
【００２０】１  フロート板
２  支持軸
３  円筒外枠
４  固定ブリッジ
５  異臭入口
６  加重板
７  ストッパー
８  脱臭装置
【図１】
2005133524.tif 000004
【図２】
2005133524.tif 000005
【図３】
2005133524.tif 000006
【図４】
2005133524.tif 000007
【図５】
2005133524.tif 000008
【図６】
2005133524.tif 000009
【図７】
2005133524.tif 000010